(57)【特許請求の範囲】
【請求項１】
足挿入空間内に挿入される足を加温する足温浴器と、手挿入空間内に挿入される手を加温する手温浴器と、足挿入空間内の温度及び手挿入空間内の温度をそれぞれ周期的に変化させる制御手段と、足挿入空間の周期的な温度変化と手挿入空間の周期的な温度変化のタイミングを一致させるか又はずらすかを変更可能な操作ボタンと、を備え、上記足温浴器は、液体を加熱して加熱液体粒子を発生させるヒータと、該ヒータに電力を供給する電源部と、発生した加熱液体粒子を足挿入空間内に吐出する吐出手段と、を有し、上記手温浴器は、手挿入空間内を加熱するヒータと、該ヒータへの電力を足温浴器の電源部から供給する電源コードと、を有し、上記制御手段は、上記操作ボタンの操作に応じて、電源部から足温浴器及び手温浴器の各ヒータに供給する電力を経時的に変化させて足挿入空間の周期的な温度変化と手挿入空間の周期的な温度変化を制御することを特徴とする手足浴装置。
【請求項２】
上記手温浴器の手挿入空間が、手先から肘までを覆う長さに形成してあることを特徴とする請求項１に記載の手足浴装置。
【発明の詳細な説明】
【技術分野】
【０００１】
本発明は、手足を同時に加温することのできる手足浴装置に関するものである。
【背景技術】
【０００２】
従来から、足を挿入して加温することで全身の温熱効果を得ようとする足温浴器があり、上記足温浴器の加温方式としては、お湯を浸すことで足を加温する方式のもの（特許文献１参照）と、加熱液体粒子を足にあてて加温する方式のもの（特許文献２参照）とが知られている。ところで、人体の抹消血管は両手足に集中するものであって、上記した従来の足温浴器ではそのうち両足を加温するだけなので全身の温熱効果を充分に得るには至らず、特に手足の両方が冷えて眠れないような末端冷え性の人にとっては不充分なものであった。
【特許文献１】特開平１１−８９９０９号公報
【特許文献２】特開２００４−３５７９４３号公報
【発明の開示】
【発明が解決しようとする課題】
【０００３】
本発明は上記問題点に鑑みて発明したものであって、手足を同時に加温することで全身を温める温熱効果を効果的に得ることのできる手足浴装置を提供することを課題とするものである。
【課題を解決するための手段】
【０００４】
上記課題を解決するために本発明に係る手足浴装置を、足挿入空間Ｓ１内に挿入される足を加温する足温浴器１と、手挿入空間Ｓ２内に挿入される手を加温する手温浴器２と、足挿入空間Ｓ１内の温度及び手挿入空間Ｓ２内の温度をそれぞれ変化させる制御手段と、足挿入空間Ｓ１の周期的な温度変化と手挿入空間Ｓ２の周期的な温度変化のタイミングを一致させるか又はずらすかを変更可能な操作ボタン３２と、を備え、前記足温浴器１は、液体を加熱して加熱液体粒子を発生させるヒータ８と、該ヒータ８に電力を供給する電源部９と、発生した加熱液体粒子を足挿入空間Ｓ１内に吐出する吐出手段６と、を有し、前記手温浴器２は、手挿入空間Ｓ２内を加熱するヒータ２１と、該ヒータ２１への電力を足温浴器１の電源部９から供給する電源コード２２と、を有し、前記制御手段は、上記操作ボタン３２の操作に応じて、電源部９から足温浴器１及び手温浴器２の各ヒータ８、２１に供給する電力を経時的に変化させて足挿入空間Ｓ１の周期的な温度変化と手挿入空間Ｓ２の周期的な温度変化を制御することを特徴としたものとする。上記構成の手足浴装置にあっては、抹消血管の集中する両手両足部分を同時に加温することができ、したがって全身の温熱効果を充分に得ることができる。また、手足の両方に冷えを訴えるような末端冷え性の人にとっては、両手足が同時に温められることで暖まり感やその持続感等の使用満足度が高く得られることとなる。また、足挿入空間Ｓ１の温度変化と手挿入空間Ｓ２の温度変化のタイミングを一致させて、全身の温熱効果や実感としての温まり感を更に効果的に得ることができる。また、足挿入空間Ｓ１の温度変化と手挿入空間Ｓ２の温度変化のタイミングをずらして、実感としての全身の温まり感を抑制しながらも全身の温熱効果を充分に得ることができる。
【０００５】
更に上記構成の手足浴装置にあっては、上記手温浴器２の手挿入空間Ｓ２が、手先から肘までを覆う長さに形成してあることが好適である。このようにすることで、使い勝手に影響しない範囲で保温範囲を広げることができる。手挿入空間Ｓ２の挿入側の開口付近では温度勾配が生じて手先側より温度が低下するが、肘までの長さを確保することで手挿入空間Ｓ２内での手の加温は充分に確保される。
【０００６】
なお、以上述べた各構成は、本発明の趣旨を逸脱しない限り適宜組合せ可能である。
【発明の効果】
【０００７】
本発明は、手足を同時に加温して全身を温める温熱効果を効果的に得ることができるという効果を奏する。
【発明を実施するための最良の形態】
【０００８】
以下、本発明を添付図面に示す実施形態に基いて説明する。本発明の実施形態における一例の手足浴装置は、図１、図２に示すような手温浴器２と、図３、図４に示すような足温浴器１とを具備するもので、両者１，２は後述の電源コード２２により電気的に接続されている。
【０００９】
まず足温浴器１について説明すると、この足温浴器１は左右両足を足先から脹脛まで挿入可能な足挿入空間Ｓ１を有する本体部３を備えたもので、本体部３の足先側には液体（本例では水）が充填される液体タンク４と、液体タンク４内の液体が供給されたうえで加熱されて加熱液体粒子（本例ではスチーム）を発生させる加熱手段５と、加熱手段５で発生させた加熱液体粒子を空気と混合させたうえで足挿入空間Ｓ１内に吐出させる吐出手段６とを備えている。ここでの足先側は挿入された足の向く方向を基準とする。
【００１０】
上記液体タンク４は本体部３に着脱自在に設置されており、液体タンク４を本体部３に装着すれば該液体タンク４内に充填してある液体が後述の加熱タンク７内にまで供給される構造である。また上記加熱手段５は、供給された液体を貯蔵しておく加熱タンク７と、加熱タンク７の側面に添設されるヒータ８と、ヒータ８に電力を供給する電源部９（図４参照）とを具備するものであり、上記電源部９は本体部３内の制御回路１０と電気的に接続させてある。
【００１１】
また上記吐出手段６は、加熱タンク７から延設されて該加熱タンク７内で発生した加熱液体粒子が流出する加熱液体粒子流路１１（図４参照）と、加熱液体粒子流路１１の下流端に連結されて加熱液体粒子に空気を混合させる混合部１２と、混合部１２に足挿入空間Ｓ１内の空気を送り込む空気流路１３と、混合部１２内の混合空気を足挿入空間Ｓ１内に吐出させる混合空気吐出流路１４とを具備するものであり、本例にあっては混合部１２でのベンチュリ効果により空気流路１３内に空気が吸い込まれるようになっているが、空気吸入用の送風ポンプ等を空気流路１３内に配してあっても構わない。
【００１２】
足挿入空間Ｓ１の底部に設置される足置き台１６は、その上面に多数の突起部１７を有して足裏の露出面積を増やすように設けたものであり、足置き台１６の下方空間１８を経て混合空気吐出流路１４から足挿入空間Ｓ１内に混合空気が送り込まれるようになっている。
【００１３】
上記足温浴器１にあっては、足挿入空間Ｓ１内の加熱液体粒子と空気とが混合して成る混合空気を空気流路１３を経て混合部１２内に吸入し、加熱手段５から供給される新たな加熱液体粒子と混合させたうえで再度足挿入空間Ｓ１内に供給するといった循環の流れを生み出し、短時間で足挿入空間Ｓ１内に加熱液体粒子を充満させることが可能である。
【００１４】
混合部１２には混合空気の温度を検知するサーモスタット１９を備えており、このサーモスタット１９の検知結果に基づいて後述のように設定温度内で温度上昇と温度降下を繰り返すように混合空気の温度を変化させ、上記温度変化によって使用者に刺激を与えて効果的に温かさを実感させながら血行促進を図る。上記温度変化は、電源部９からヒータ８に供給する電力量を経時的に変化させることで行う。
【００１５】
次に、手温浴器２について説明すると、この手温浴器２は手先から肘までを挿入可能な長さの手挿入空間Ｓ２を有する本体部２０を備えたものであり、本体部２０は布等の柔軟な材料を用いて袋状に形成されている。上記本体部２０は、手挿入空間Ｓ２の近接個所に加熱手段として熱源であるヒータ２１を配し、このヒータ２１に電力を供給する電源コード２２を本体部２０の手元側の側部から外部に延出させている。ここでの手元側は挿入された手の向く方向を基準とする。右手用の本体部２０（図１中の右側）から延出される一対の電源コード２２は、本体部２０の手元側の側部に備えてある電力入切スイッチ２３を介して延出されており、上記一対の電源コード２２の一方は左手用の本体部２０（図１中の左側）に接続されてこの左手用の本体部２０内のヒータ２１に電力を供給し、他方は足温浴器１の電源部９に接続されて右手用及び左手用の本体部２０内のヒータ２１に電力を供給するものである。即ち電源部９からは足温浴器１内のヒータ８と、手温浴器２の左右の本体部２０内のヒータ２１とに電力を供給する構造である。
【００１６】
図示のように上記本体部２０は左手用と右手用とがそれぞれ専用に設けてあり、左右一対の袋状を成す本体部２０の手挿入空間Ｓ２内に左手又は右手のみが挿入可能なサイズに形成している。本体部２０側部には挿入する手が左側或いは右側か、及び手の平側或いは手の甲側かを表示するタグ２４を設けている。例えば、右手用の本体部２０のタグ２４の甲側には「右甲側」と記載し、左手の本体部２０のタグ２４の甲側には「左甲側」と記載する。なお図示はしないが、例えば本体部２０が両端の開口した袋状又は長筒状であってその両端開口から左右の手を挿入可能な形状であってもよく、この場合には一つの本体部２０で両手を同時に加温可能である。
【００１７】
また本体部２０の手挿入空間Ｓ２を囲む布地部分は第一層２５と第二層２６とから成る断熱性の二重構造から成り、この第一層２５と第二層２６との間の空間２７内にヒータ２１を配している。上記各層２５，２６はそれぞれが布状の柔軟体であり且つ断熱性能を持ったものである。本例ではヒータ２１を手の平側の二重構造内の空間２７内にのみ配しているが、手の甲側の二重構造内の空間２７にも配してあっても構わない。但しヒータ２１を一方にのみ配する場合には本例の如く手の平側に配することが適当である。この場合、手の甲側は手の平側の熱が回って温められるので手の平側よりも低い温度となるが、手の抹消血管は手の甲側より手の平側に集中していることから手は効果的に加温される。
【００１８】
ヒータ２１による加温温度を検知するサーモスタット２８は本体部２０の手の平側に配してあり、足温浴器１と同様にこのサーモスタット２８の検知結果に基づいて設定温度内で温度上昇と温度降下を繰り返すように手挿入空間Ｓ２内の温度を変化させ、上記温度変化により使用者に刺激を与える。上記温度変化は、足温浴器１の電源部９からヒータ２１に供給する電力量を経時的に変化させることで行う。使用時には手の平側が最も温度上昇し易くなるのだが、この部分の温度で温度制御をすることで異常温度上昇を回避して火傷を効果的に防止することができる。
【００１９】
電力入切スイッチ２３の入切操作部１５は、電力入切スイッチ２３の電源コード２２との接続部分よりも手元側に備えてあり、これにより使用者にとってのスイッチ操作を容易にしている。また電力入切スイッチ２３はコネクタを介して本体部２０と着脱自在に備えてあってもよく、この場合は非使用時に取り外して収納性を向上させることが可能であるとともに本体部２０の洗濯も容易となる。
【００２０】
また袋状を成す本体部２０の手元部分には、手挿入空間Ｓ２の挿入面積の大小を調整可能とするホック部２９を備えており、手の太い使用者であればホック部２９を留めずに挿入面積を大とし、手の細い使用者であればホック部２９を留めて挿入面積を小にするとともに使用時に熱が逃げることを防止するものである。上記ホック部２９は手の甲側の鉤部材を手の平側の受部材に押し込んで係止するスナップ状のものなので、両手を本体部２０に挿入した状態でも操作が容易である。
【００２１】
図１に示す符号３０は本体部２０の手挿入空間Ｓ２内に着脱自在に挿入される柔軟な袋状のインナーであり、吸汗性及び洗濯性が高いものとして形成してあるので、手の加温時にはこのインナー３０を手挿入空間Ｓ２内に装着して該インナー３０内に手を挿入して用い、使用後には取り外して洗濯すれば清潔に使用可能である。
【００２２】
更に図示はしていないが、手温浴器２の袋状を成す本体部２０の少なくとも手先部分を開放するチャック機構を備えてあってもよい。この場合、必要な時だけチャック機構を操作して先端部分を開放すれば、手挿入空間Ｓ２内に手を挿入した状態のままで足温浴器１を操作する作業や或いは何かを掴むといった作業が容易となる。また手挿入空間Ｓ２内の温度が高いと感じる時にチャック機構を開放すれば温度調整手段ともなる。
【００２３】
加えて図示はしていないが、左手用の本体部２０の外面に面状ファスナを設けるとともに、右手用の本体部２０の外面に上記左手側の面状ファスナが着脱自在に係合する面状ファスナを設けておくことも好適である。例えば左右一方の本体部２０の手の甲側と、他方の本体部２０の手の平側とに対応する面状ファスナを設けておけば、左右両方の本体部２０内に手を挿入した状態のままで左右の面状ファスナーを係合させたうえで、本体部２０から容易に手を引き出すことができる。
【００２４】
そして、本例の手足浴装置にあっては、上記足温浴器１と上記手温浴器２とを同時に通電制御し、全身の毛細血管のうち７０％を占める両手両足部分を同時に加温することで、全身の温熱効果が充分に得られるものである。また、手足の両方に冷えを訴えるような冷え性の人にとっては、両手足が同時に温められることで暖まり感やその持続感等の使用満足度が高く得られることとなる。
【００２５】
足温浴器１の足挿入空間Ｓ１内の周期的な温度変化と、手温浴器２の手挿入空間Ｓ２内の周期的な温度変化は、共に足温浴器１の本体部３内の制御回路１０により制御されるものであり、本体部３の足先側上面に配される操作部３１上の各種操作ボタン３２を押圧操作することで足温浴器１側及び手温浴器２側の設定温度を変更可能としている。ここで、手と足では温度変化に対する感受性が異なることから、足温浴器１側の標準の設定温度を４２〜４６℃とし、手温浴器２側の標準の設定温度を３８〜４４℃としているが、各個人毎にもの手と足での冷え症の程度が異なるので、ボタン操作により手足の上記設定温度や周期変化のタイミングを各冷え性の程度に合わせて変更可能とすることが好適である。
【００２６】
図５には、足挿入空間Ｓ１の温度上昇及び温度降下のタイミングと手挿入空間Ｓ２の温度上方及び温度降下のタイミングが一致するように、両者の温度変化を同期させた場合を示している。足温浴器１においてはヒータ８への通電のオンオフ制御により温度変化を生じさせ、手温浴器２においてはヒータ２１への通電のオンオフ制御により温度変化を生じさせており、図示のように手足で温度上昇及び温度降下のタイミングが一致することで全身の温熱効果や実感としての温まり感が更に効果的に得られることとなる。
【００２７】
図６には、足挿入空間Ｓ１の温度上昇及び温度降下のタイミングと手挿入空間Ｓ２の温度上昇及び温度降下のタイミングが所定時間だけずれるように、両者の温度変化を同期させた場合を示している。図５のように温度の周期変化のタイミングを一致させた場合には熱過ぎると感じる使用者も存在するので、その場合は図６のように温度の周期変化のタイミングを適宜時間だけずらすことで、実感としての全身の温まり感は抑制しながらも全身の温熱効果は充分に付与することが可能である。
【００２８】
更に、例えば手足の左右で独立して設定温度や温度変化のタイミングを調整可能にすることも好適である。本例にあっては設定温度の変更は各ヒータ８，２１への供給電力の大小切換えにより制御し、温度変化のタイミングは各ヒータ８，２１への通電のオンオフの切換え時期によるが、他の手段であっても構わない。
【００２９】
また、足温浴器１側の運転が終了すれば手温浴器２側の運転も自動的に終了するように制御回路１０にて制御することも好適である。これにより足温浴器１側の運転終了のタイマを設定しておけば、手温浴器２側も足温浴器１側のタイマに合わせて運転終了することとなり、例え使用者が居眠りをした場合であっても手を火傷する恐れがなくなる。なお手温浴器２側の運転停止は本体部２０に備えてある電力入切スイッチ２３の入切操作部１５のスライド操作によっても可能である。
【００３０】
以上、本発明の足温浴器１を足に加熱液体粒子をあてて加温する方式のもので説明してきたが、これが足挿入空間Ｓ１内にお湯を溜めることで足を加温する方式や、更に別の方式のものであっても構わない。また手温浴器２にあっても例えば本体部２０外に備えてあるヒータで熱した温風を送風機で本体部２０内に送り込むような方式や、更に別の方式のものであっても構わない。
【００３１】
次に、本発明の実施形態における他例の手足浴装置について図７に基づいて説明するが、既述した一例と同様の構成については同一符号を付して詳しい説明を省略し、一例とは異なる特徴的な構成についてのみ以下に詳述する。
【００３２】
本例の手足浴装置の足温浴器１は一例と同様であって、液体を加熱してスチームのような加熱液体粒子を発生させる加熱手段５と、加熱手段５で発生させた加熱液体粒子を足挿入空間Ｓ１内に吐出する吐出手段６とを備えるものである。これに対し本例の手温浴器２は、手先から肘までを覆う長さの一例と同様の袋状の本体部２０を有するものの、手挿入空間Ｓ２内を加熱する加熱手段としてはヒータ２１等の代わりに、手挿入空間Ｓ２の手先側部分と連通接続される加熱液体粒子供給用のパイプ４０を本体部２０から延出し、このパイプ４０を足温浴器１の吐出手段６を形成する混合部１２と連通接続させている。なおここでの連通孔は図示していない。
【００３３】
即ち本例にあっては、電源部９からは足温浴器１の加熱手段５を形成するヒータ８に電力を供給するとともに、ヒータ８への通電により足温浴器１側で生じた加熱液体粒子を足挿入空間Ｓ１と手挿入空間Ｓ２とに供給する構造である。なお、図７には手温浴器２の右手用の本体部２０とこれを繋ぐパイプ４０しか図示していないが、左手用の本体部２０も同様のパイプ４０で足温浴器１と連通接続させることは勿論である。
【００３４】
しかして上記構成の手足温浴装置にあっては、両手足を同時に加熱液体粒子で加温することができ、足温浴器１側と手温浴器２側において温度変化のタイミングが一致するので全身の温熱効果を大きくすることが可能である。
【００３５】
次に、本発明の実施形態における他例の手足浴装置について図８に基づいて説明するが、他例と同様の構成については同一符号を付して詳しい説明を省略し、他例とは相違する本例の特徴的な構成についてのみ以下に詳述する。
【００３６】
本例の手足温浴装置にあっては、手挿入空間Ｓ２の手先側部分と足温浴器１の混合部１２とを連通接続させる他例と同様の吐出用のパイプ４０を備えるとともに、手挿入空間Ｓ２の上記パイプ４０と連通接続される部分よりも手元側の部分と足温浴器１内の空気流路１３とを連通接続させる吸入用のパイプ５０を備えている。なおパイプ５０と空気流路１３との連通孔は図示していない。
【００３７】
しかして上記構成の手足温浴装置にあっては、足温浴器１側で混合空気を循環させて足挿入空間Ｓ１内に短時間で加熱液体粒子を充満させることが可能であることは勿論、手温浴器２側にあっても手挿入空間Ｓ２内の混合空気をパイプ５０及び空気流路１３を経て混合部１２内に吸入し、加熱手段５から供給される新たな加熱液体粒子と混合させたうえでパイプ４０を通じて再度手挿入空間Ｓ２内に供給するといった循環の流れを生み出すことができる。したがって短時間で足挿入空間Ｓ１内と手挿入空間Ｓ２内に加熱液体粒子を充満させることが可能である。なお、図８には手温浴器２の右手用の本体部２０とこれを繋ぐパイプ４０及びパイプ５０しか図示していないが、左手用の本体部２０も同様のパイプ４０及びパイプ５０で足温浴器１と連通接続させることは勿論である。
【図面の簡単な説明】
【００３８】
【図１】本発明の実施形態における一例の手足浴装置の手温浴器を示す説明図である。
【図２】同上の手温浴器の本体部断面形状を示す説明図である。
【図３】同上の手足浴装置の足温浴器の側断面図である。
【図４】同上の足温浴器を足先側から見た一部破断説明図である。
【図５】同上の手足浴装置の温度制御方法を示す説明図である。
【図６】同上の手足浴装置の他の温度制御方法を示す説明図である。
【図７】本発明の実施形態における他例の手足浴装置を示す説明図である。
【図８】本発明の実施形態における更に他例の手足浴装置を示す説明図である。
【符号の説明】
【００３９】
１  足温浴器
２  手温浴器
５  加熱手段
６  吐出手段
１０  制御回路
４０  パイプ
Ｓ１  足挿入空間
Ｓ２  手挿入空間
【図１】
0004674503.tif 000002
【図２】
0004674503.tif 000003
【図３】
0004674503.tif 000004
【図４】
0004674503.tif 000005
【図５】
0004674503.tif 000006
【図６】
0004674503.tif 000007
【図７】
0004674503.tif 000008
【図８】
0004674503.tif 000009